【手続補正書】
【提出日】平成16年9月6日(2004.9.6)
【手続補正１】
【補正対象書類名】特許請求の範囲
【補正対象項目名】全文
【補正方法】変更
【補正の内容】
【特許請求の範囲】
【請求項１】
通信回線網に複数の無線基地局が接続され、無線通信端末が前記複数の無線基地局の何れかを介して他の通信端末と通信することができる無線通信システムにおいて、
前記無線通信端末が無線基地局を介して他の通信端末と通信した際、当該無線通信端末には、通信相手がどこで着信或いは発信したかを特定できる場所を表す情報が前記無線基地局から通知され、当該無線通信端末は、通知された場所を表す情報を、通信相手の端末を識別できる情報、及び発信或いは着信した日時を表わす情報とともに、後刻確認できる通信履歴情報として記憶することを特徴とする無線通信システム。
【請求項２】
場所を表す情報の無線基地局からの通知は、発信時または着信時に行われることを特徴とする請求項１記載の無線通信システム。
【請求項３】
無線基地局を介して他の通信端末と通信する無線通信端末において、
無線基地局を介して他の通信端末と通信した際に、通信相手がどこで着信或いは発信したかを特定できる場所を表す情報を前記無線基地局から受信する手段と、
受信した当該情報を、通信相手の端末を識別できる情報、及び発信或いは着信した日時を表わす情報とともに、後刻確認できる通信履歴情報として記憶する手段と
を具備することを特徴とする無線通信端末。
【請求項４】
前記記憶手段は、前記３種の情報に加え、自己がどこで発信或いは着信したかを特定できる場所を表す情報も、前記通信履歴情報として記憶することを特徴とする請求項３記載の無線通信端末。
【請求項５】
前記記憶手段は、通信履歴情報を、発信した際と着信した際とに分けて記憶することを特徴とする請求項３又は４記載の無線通信端末。
【請求項６】
前記記憶手段に記憶されている通信履歴情報を確認する手段として、表示手段を備えていることを請求項３乃至５の何れかに記載の無線通信端末。
【請求項７】
前記表示手段は、前記記憶手段に記憶されている通信履歴情報を、通信相手の端末を識別できる情報、通信相手がどこで着信或いは発信したかを特定できる場所を表す情報、及び発信或いは着信した日時を表わす情報を含む詳細形式で表示できる表示手段であることを特徴とする請求項６記載の無線通信端末。
【請求項８】
前記表示手段は、前記記憶手段に記憶されている通信履歴情報を、通信相手の端末を識別できる情報は含むが通信相手がどこで着信或いは発信したかを特定できる場所を表す情報は含まない簡易形式でも表示できる表示手段であることを特徴とする請求項７記載の無線通信端末。
【請求項９】
前記表示手段は、前記記憶手段に記憶されている通信履歴情報を前記簡易形式で表示している時に詳細表示が指示されると、前記記憶手段に記憶されている通信履歴情報を、通信相手の端末を識別できる情報、通信相手がどこで着信或いは発信したかを特定できる場所を表す情報、及び発信或いは着信した日時を表わす情報とを含む詳細形式で表示することを特徴とする請求項８記載の無線通信端末。
【請求項１０】
前記表示手段は、複数の通信履歴情報をリスト形式で表示できる表示手段であることを特徴とする請求項６乃至９の何れかに記載の無線通信端末。
【請求項１１】
所望の通信履歴情報が前記表示手段で表示されている時に、その通信履歴の通信相手を新たな通信の通信相手として指定する手段と、通信の開始が指示された時、前記所望の通信履歴情報の一部として前記記憶手段に記憶されている通信相手の端末を識別できる情報に基づいて発信する発信手段とを備えていることを特徴とする請求項６乃至１０の何れかに記載の無線通信端末。
【請求項１２】
無線通信端末における通信履歴記録方法であって、
無線基地局を介して他の通信端末と通信した際、通信相手がどこで着信或いは発信したかを特定できる場所を表す情報を前記無線基地局から受信し、受信した当該情報を、通信相手の端末を識別できる情報、及び発信或いは着信した日時を表わす情報とともに、後刻確認可能な通信履歴情報として記録することを特徴とする通信履歴記録方法。
【請求項１３】
前記３種の情報に加え、自己がどこで発信或いは着信したかを特定できる場所を表す情報も、前記通信履歴情報として記憶することを特徴とする請求項１２記載の通信履歴記録方法。
【請求項１４】
通信履歴情報を、発信した際と着信した際とに分けて記憶することを特徴とする請求項１２又は１３記載の通信履歴記録方法。
【手続補正２】
【補正対象書類名】明細書
【補正対象項目名】発明の名称
【補正方法】変更
【補正の内容】
【発明の名称】無線通信システム、無線通信端末および通信履歴記録方法
【手続補正３】
【補正対象書類名】明細書
【補正対象項目名】０００１
【補正方法】変更
【補正の内容】
【０００１】
本発明は、ＰＨＳ端末等の無線通信端末が他の通信端末と音声やデータを相互に通信することができる無線通信システム、並びに該無線通信システムで使用される無線通信端末および通信履歴記録方法に関する。
【手続補正４】
【補正対象書類名】明細書
【補正対象項目名】０００４
【補正方法】変更
【補正の内容】
【０００４】
そこで本発明は、電話の発信および着信に関する詳細な情報を得ることができるとともに、これらの詳細な情報をリダイヤル時やリコール時に有効に利用できる無線通信システム、無線通信端末および通信履歴記録方法を提供することを目的とする。
【手続補正５】
【補正対象書類名】明細書
【補正対象項目名】０００５
【補正方法】変更
【補正の内容】
【０００５】
上記目的達成のため、請求項１記載の発明による無線通信システムは、通信回線網に複数の無線基地局が接続され、無線通信端末が前記複数の無線基地局の何れかを介して他の通信端末と通信することができる無線通信システムにおいて、前記無線通信端末が無線基地局を介して他の通信端末と通信した際、当該無線通信端末には、通信相手がどこで着信或いは発信したかを特定できる場所を表す情報が前記無線基地局から通知され、当該無線通信端末は、通知された場所を表す情報を、通信相手の端末を識別できる情報、及び発信或いは着信した日時を表わす情報とともに、後刻確認できる通信履歴情報として記憶することを特徴とする。
また、好ましい態様として、場所を表す情報の無線基地局からの通知は、例えば請求項２記載のように、発信時または着信時に行われるようにしてもよい。
【手続補正６】
【補正対象書類名】明細書
【補正対象項目名】０００６
【補正方法】変更
【補正の内容】
【０００６】
また、請求項３記載の発明による無線通信端末は、無線基地局を介して他の通信端末と通信する無線通信端末において、無線基地局を介して他の通信端末と通信した際に、通信相手がどこで着信或いは発信したかを特定できる場所を表す情報を前記無線基地局から受信する手段と、受信した当該情報を、通信相手の端末を識別できる情報、及び発信或いは着信した日時を表わす情報とともに、後刻確認できる通信履歴情報として記憶する手段とを具備することを特徴とする。
【手続補正７】
【補正対象書類名】明細書
【補正対象項目名】０００７
【補正方法】変更
【補正の内容】
【０００７】
また、好ましい態様として、前記記憶手段は、例えば請求項４記載のように、前記３種の情報に加え、自己がどこで発信或いは着信したかを特定できる場所を表す情報も、前記通信履歴情報として記憶するようにしてもよい。
また、好ましい態様として、前記記憶手段は、例えば請求項５記載のように、通信履歴情報を、発信した際と着信した際とに分けて記憶するようにしてもよい。
【手続補正８】
【補正対象書類名】明細書
【補正対象項目名】０００８
【補正方法】変更
【補正の内容】
【０００８】
また、好ましい態様として、前記無線通信端末は、例えば請求項６記載のように、前記記憶手段に記憶されている通信履歴情報を確認する手段として、表示手段を備えるようにしてもよい。
この場合、好ましい態様として、前記表示手段は、例えば請求項７記載のように、前記記憶手段に記憶されている通信履歴情報を、通信相手の端末を識別できる情報、通信相手がどこで着信或いは発信したかを特定できる場所を表す情報、及び発信或いは着信した日時を表わす情報を含む詳細形式で表示できる表示手段であるようにしてもよい。
また、好ましい態様として、前記表示手段は、例えば請求項８記載のように、前記記憶手段に記憶されている通信履歴情報を、通信相手の端末を識別できる情報は含むが通信相手がどこで着信或いは発信したかを特定できる場所を表す情報は含まない簡易形式でも表示できる表示手段であるようにしてもよい。この場合、前記表示手段は、例えば請求項９記載のように、前記記憶手段に記憶されている通信履歴情報を前記簡易形式で表示している時に詳細表示が指示されると、前記記憶手段に記憶されている通信履歴情報を、通信相手の端末を識別できる情報、通信相手がどこで着信或いは発信したかを特定できる場所を表す情報、及び発信或いは着信した日時を表わす情報とを含む詳細形式で表示するようにしてもよい。
また、好ましい態様として、前記表示手段は、例えば請求項１０記載のように、複数の通信履歴情報をリスト形式で表示できる表示手段であるようにしてもよい。
また、好ましい態様として、前記無線通信端末は、例えば請求項１１記載のように、所望の通信履歴情報が前記表示手段で表示されている時に、その通信履歴の通信相手を新たな通信の通信相手として指定する手段と、通信の開始が指示された時、前記所望の通信履歴情報の一部として前記記憶手段に記憶されている通信相手の端末を識別できる情報に基づいて発信する発信手段とを備えるようにしてもよい。
【手続補正９】
【補正対象書類名】明細書
【補正対象項目名】０００９
【補正方法】変更
【補正の内容】
【０００９】
また、請求項１２記載の発明による通信履歴記録方法は、無線通信端末における通信履歴記録方法であって、無線基地局を介して他の通信端末と通信した際、通信相手がどこで着信或いは発信したかを特定できる場所を表す情報を前記無線基地局から受信し、受信した当該情報を、通信相手の端末を識別できる情報、及び発信或いは着信した日時を表わす情報とともに、後刻確認可能な通信履歴情報として記録することを特徴とする。
【手続補正１０】
【補正対象書類名】明細書
【補正対象項目名】００１０
【補正方法】変更
【補正の内容】
【００１０】
また、好ましい態様として、前記通信履歴記録方法は、例えば請求項１３記載のように、前記３種の情報に加え、自己がどこで発信或いは着信したかを特定できる場所を表す情報も、前記通信履歴情報として記憶するようにしてもよい。
また、好ましい態様として、前記通信履歴記録方法は、例えば請求項１４記載のように、通信履歴情報を、発信した際と着信した際とに分けて記憶するようにしてもよい。
【手続補正１１】
【補正対象書類名】明細書
【補正対象項目名】００１１
【補正方法】変更
【補正の内容】
【００１１】
本発明によれば、無線通信端末が無線基地局を介して通信した際、すなわち、無線通信端末が発信または着信した際に、通信相手がどこで着信或いは発信したかを特定できる場所を表す情報を、通信相手の端末を識別できる情報、及び発信或いは着信した日時を表わす情報とともに、後刻確認できる通信履歴情報として記憶するようにしたので、発信時や着信時に記憶した通信相手の端末を識別できる情報に基づいてリダイヤルやリコールを行うことができるとともに、リダイヤルやリコールを行う場合には、発信する前に、そのリダイヤルやリコールの元となった通信が何時行われたのか、また通信相手が何処にいる時に行われたのかという情報も確認することができ、前回の通話時の会話内容なども思い出し易くなる。
【手続補正１２】
【補正対象書類名】明細書
【補正対象項目名】００３７
【補正方法】変更
【補正の内容】
【００３７】
【図１】本発明の実施例によるＰＨＳ等の無線通信システムの構成を示すブロック図である。
【図２】本実施例によるＰＨＳ端末の構成を示すブロック図である。
【図３】本実施例によるＰＨＳ端末のＲＡＭに登録されるリダイヤルリストのデータ構成を示す模式図である。
【図４】本実施例によるＰＨＳ端末の外観構成を示す模式図である。
【図５】本実施例による発信処理の動作を説明するためのフローチャートである。
【図６】本実施例によるリダイヤル時での表示部の一表示例を示す模式図である。
【図７】本実施例によるリダイヤル時での表示部の他の表示例を示す模式図である。